(57)【要約】【課題】硬貨の種類を固定することなく柔軟な運用が可能な硬貨収納装置及び硬貨管理方法を提供すること。【解決手段】硬貨収納装置１０は、複数の種類の硬貨のいずれかを複数枚重畳して収納する収納部を有する。また、硬貨収納装置１０は、各収納部に対する硬貨の種類の割り当てを示す収納設定データ１６ｂと、硬貨の種類に係る硬貨特性データ１６ａとを保持する。硬貨収納装置１０は、収納部について検知した収納状態と、収納部に設定された硬貨の種類と、硬貨の種類に係る特性データとを用い、収納部に収納された硬貨の枚数を特定する。【選択図】図１
2017162352.tif 000002
【特許請求の範囲】
【請求項１】
複数の種類の硬貨のいずれかを複数枚重畳して収納する収納部と、
前記収納部に収納する硬貨の種類を設定する設定部と、
前記収納部に収納された複数枚重畳された硬貨に係るデータ及び該硬貨の種類に係るデータに基づいて、前記収納部に収納された硬貨の枚数を特定する特定部と
を有することを特徴とする硬貨収納装置。
【請求項２】
前記収納部の近傍に磁界を生成する磁界生成部をさらに備え、
前記特定部は、前記硬貨による磁界の変化を前記硬貨に係るデータとして用い、前記硬貨の種類によって定まる電気特性を前記硬貨の種類に係るデータとして用いて、前記収納部に収納された硬貨の枚数を特定する
ことを特徴とする請求項１に記載の硬貨収納装置。
【請求項３】
前記収納部に収納された複数枚重畳された硬貨に係るデータ及び該硬貨の種類に係るデータに基づいて、前記収納部に収納された硬貨の適否を判定する適否判定部をさらに備えたことを特徴とする請求項１又は２に記載の硬貨収納装置。
【請求項４】
前記特定部により特定される硬貨の枚数の変化から入金又は出金された金額を算定する金額算定部をさらに備えたことを特徴とする請求項１、２又は３に記載の硬貨収納装置。
【請求項５】
外部の装置から出金に係る指示を受け付け、該指示に対応する硬貨の取り出しを行わせる出金制御部をさらに備えたことを特徴とする請求項１〜４のいずれか一つに記載の硬貨収納装置。
【請求項６】
前記出金制御部は、出金された金額と前記指示に対応する金額とが不整合である場合に報知を行うことを特徴とする請求項５に記載の硬貨収納装置。
【請求項７】
前記収納部に収納された硬貨の枚数と、他の硬貨収納装置の収納部に収納された硬貨の枚数とを統合して管理する収納枚数管理部をさらに備えたことを特徴とする請求項１〜６のいずれか一つに記載の硬貨収納装置。
【請求項８】
複数の種類の硬貨のいずれかを複数枚重畳して収納する収納部を有する硬貨収納装置における硬貨管理方法であって、
前記収納部に収納する硬貨の種類を設定する設定ステップと、
前記収納部に収納された複数枚重畳された硬貨に係るデータを取得する取得ステップと、
前記取得ステップにより取得したデータと硬貨の種類に係るデータとに基づいて、前記収納部に収納された硬貨の枚数を特定する特定ステップと
を含むことを特徴とする硬貨管理方法。
【発明の詳細な説明】
【技術分野】
【０００１】
この発明は、硬貨を収納する収納部を有する硬貨収納装置及び硬貨管理方法に関する。
【背景技術】
【０００２】
従来、小売店等では、硬貨の収納や計数に硬貨収納装置が用いられてきた。かかる硬貨収納装置は、硬貨を重ねて収納する複数列の収納部を有し、各列に収納すべき硬貨の種類（例えば金種）が設定されている。各列の収納部は設定された種類の硬貨の径などに合わせた形状を有し、設定された種類の硬貨の厚みに応じて目盛りが付されているため、収納した硬貨の枚数が簡易に確認できる。
【０００３】
さらに、収納した硬貨の枚数を計数し、計数結果を表示する硬貨収納装置も知られている。例えば、特許文献１は、硬貨などを収納する硬貨類収納部の近傍に電磁誘導コイルを配置し、電磁誘導コイルにかかる電圧などから硬貨類の数量を求めて表示する技術を開示している。
【先行技術文献】
【特許文献】
【０００４】
【特許文献１】特許第５３３０８７０号
【発明の概要】
【発明が解決しようとする課題】
【０００５】
しかしながら、従来の硬貨収納装置では、各列に対して収納すべき硬貨の種類が固定されており、柔軟な運用ができないという問題点があった。例えば、６金種の硬貨が流通している場合であっても、６列の収納部で足りるとは限らず、流通量の多い金種に複数列を割り当てたい場合がある。また、特定の金種を取り扱わない店舗であれば、該当する金種用の収納部は不要である。
【０００６】
さらに、国ごとに流通している硬貨が異なるので、国ごとに収納部の形状を異ならせる必要が生じる。また、複数の国の通貨を取り扱う店舗では、それぞれの国の通貨に合わせた硬貨収納装置を用意することになり、負担が大きくなってしまう。
【０００７】
上記の特許文献１のように電気特性を利用して硬貨類の数量を求める場合であっても、設定された硬貨の種類に合わせて調整を行う必要があるため、収納すべき硬貨の種類が固定されて柔軟な運用ができないという問題は発生する。
【０００８】
これらのことから、硬貨の種類を固定することなく柔軟な運用が可能な硬貨収納装置をいかにして実現するかが重要な課題となっていた。なお、硬貨には、通貨として用いられる物の他、遊技用のメダルなど同様の形状を有する媒体も含み、これらの媒体についても同様の課題が生じている。
【０００９】
本発明は、上記従来技術の課題を解決するためになされたものであって、硬貨の種類を固定することなく柔軟な運用が可能な硬貨収納装置及び硬貨管理方法を提供することを目的とする。
【課題を解決するための手段】
【００１０】
上述した課題を解決し、目的を達成するため、本発明は、複数の種類の硬貨のいずれかを複数枚重畳して収納する収納部と、前記収納部に収納する硬貨の種類を設定する設定部と、前記収納部に収納された複数枚重畳された硬貨に係るデータ及び該硬貨の種類に係るデータに基づいて、前記収納部に収納された硬貨の枚数を特定する特定部とを有することを特徴とする。
【００１１】
また、本発明は、上記の発明において、前記収納部の近傍に磁界を生成する磁界生成部をさらに備え、前記特定部は、前記硬貨による磁界の変化を前記硬貨に係るデータとして用い、前記硬貨の種類によって定まる電気特性を前記硬貨の種類に係るデータとして用いて、前記収納部に収納された硬貨の枚数を特定することを特徴とする。
【００１２】
また、本発明は、上記の発明において、前記収納部に収納された複数枚重畳された硬貨に係るデータ及び該硬貨の種類に係るデータに基づいて、前記収納部に収納された硬貨の適否を判定する適否判定部をさらに備えたことを特徴とする。
【００１３】
また、本発明は、上記の発明において、前記特定部により特定される硬貨の枚数の変化から入金又は出金された金額を算定する金額算定部をさらに備えたことを特徴とする。
【００１４】
また、本発明は、上記の発明において、外部の装置から出金に係る指示を受け付け、該指示に対応する硬貨の取り出しを行わせる出金制御部をさらに備えたことを特徴とする。
【００１５】
また、本発明は、上記の発明において、前記出金制御部は、出金された金額と前記指示に対応する金額とが不整合である場合に報知を行うことを特徴とする。
【００１６】
また、本発明は、上記の発明において、前記収納部に収納された硬貨の枚数と、他の硬貨収納装置の収納部に収納された硬貨の枚数とを統合して管理する収納枚数管理部をさらに備えたことを特徴とする。
【００１７】
また、本発明は、複数の種類の硬貨のいずれかを複数枚重畳して収納する収納部を有する硬貨収納装置における硬貨管理方法であって、前記収納部に収納する硬貨の種類を設定する設定ステップと、前記収納部に収納された複数枚重畳された硬貨に係るデータを取得する取得ステップと、前記取得ステップにより取得したデータと硬貨の種類に係るデータとに基づいて、前記収納部に収納された硬貨の枚数を特定する特定ステップとを含むことを特徴とする。
【発明の効果】
【００１８】
本発明によれば、硬貨の種類を固定することなく柔軟な運用が可能な硬貨収納装置及び硬貨管理方法を提供することができる。
【図面の簡単な説明】
【００１９】
【図１】図１は、実施例に係る硬貨収納装置の概念を説明するための説明図である。
【図２】図２は、硬貨収納装置の外観構成及び内部構成についての説明図である。
【図３】図３は、硬貨収納装置の機能ブロック図である。
【図４】図４は、図３に示した硬貨特性データ、収納設定データ及び収納状態データの一例を示す図である。
【図５】図５は、硬貨収納装置の基本的な処理手順を示すフローチャートである。
【図６】図６は、硬貨収納装置の連結についての説明図である。
【図７】図７は、硬貨収納装置とＰＯＳ端末との接続についての説明図である。
【図８】図８は、ＰＯＳ端末と接続された硬貨収納装置の処理手順を示すフローチャートである。
【図９】図９は、硬貨収納装置を外貨両替に用いる場合についての説明図である。
【図１０】図１０は、変形硬貨などの収納部を別途設けた硬貨収納装置についての説明図である。
【図１１】図１１は、収納部に仕切りを設けた硬貨収納装置についての説明図である。
【発明を実施するための形態】
【００２０】
以下に、添付図面を参照して、本発明に係る硬貨収納装置及び硬貨管理方法の実施例を説明する。
【実施例】
【００２１】
＜硬貨収納装置の概念＞
まず、本実施例に係る硬貨収納装置の概念について説明する。図１は、実施例に係る硬貨収納装置の概念を説明するための説明図である。同図に示す硬貨収納装置１０は、複数列の収納部を有している。この複数の収納部は、特定の種類の硬貨に適合させた形状ではなく、収納対象となる全ての種類の硬貨を収納可能な汎用の収納部である。このため、複数の収納部は、同一の形状とすることができる。なお、実施例では全ての収納部を同一の形状とする場合を例に説明を行うが、汎用の収納部と専用の収納部とを併用してもよい。また、汎用の収納部は、特定の複数の種類の硬貨を収納できる形状としてもよい。例えば、５００円硬貨と１円硬貨についてはそれぞれ専用の収納部を設け、その他の金種の硬貨（５円硬貨、１０円硬貨、５０円硬貨、１００円硬貨）を収納可能な汎用の収納部を設けてもよい。
【００２２】
複数の収納部は、それぞれ汎用の収納部であるが、単一の収納部に複数の種類の硬貨を混在して収納するのではなく、複数の種類の硬貨のいずれかを複数枚一列に重畳して収納する。すなわち、単一の収納部には単一の硬貨の種類を割り当てる。硬貨収納装置１０は、各収納部に対する硬貨の種類の割り当てを示す収納設定データ１６ｂを保持する。収納設定データ１６ｂは、収納部を一意に識別する収納部ＩＤに収納対象とする硬貨の種類を対応付けたデータである。図１に示した例では、収納設定データ１６ｂは、収納部ＩＤ「Ｌ０１」に種類「ＪＰ５００」を対応付け、収納部ＩＤ「Ｌ０２」及び収納部ＩＤ「Ｌ０３」に種類「ＪＰ１００」を対応付けた状態を示している。この各収納部に対する硬貨の種類の割り当ては、収納設定データ１６ｂを更新することで適宜変更可能である。
【００２３】
また、硬貨収納装置１０は、複数の収納部のそれぞれについて、硬貨の収納状態を検知する。硬貨の収納状態の検知は、収納された硬貨の数量に応じて変動する硬貨数量対応データを検知することで行う。例えば、収納部の近傍に電磁誘導コイルを配置し、収納された硬貨による磁界の変化を硬貨数量対応データとして取得すればよい。他の例として、収納された硬貨の重量を硬貨数量対応データとして取得してもよい。
【００２４】
ここで、硬貨１枚に対応する硬貨数量対応データは、硬貨の種類によって異なる。例えば、磁界の変化を硬貨数量対応データとして用いる場合、硬貨１枚あたりのインピーダンスの変化量は硬貨の種類によって異なる。同様に、磁界の変化を硬貨数量対応データとして用いる場合、周波数の変化量は硬貨の種類によって異なる。また、重量を硬貨数量対応データとして用いる場合、硬貨１枚あたりの重量は硬貨の種類によって異なる。
【００２５】
そこで、硬貨収納装置１０は、硬貨の種類ごとにその特性を示す特性データを対応付けた硬貨特性データ１６ａを保持している。例えば、磁界の変化を硬貨数量対応データとして用いる場合には、硬貨１枚あたりのインピーダンスの変化量や周波数の変化量などの電気特性を特性データとして対応付ける。また、重量を硬貨数量対応データとして用いる場合には、硬貨１枚あたりの重量を特性データとして対応づける。
【００２６】
硬貨収納装置１０は、収納部について検知した収納状態と、収納部に設定された硬貨の種類と、硬貨の種類に係る特性データとを用い、収納部に収納された硬貨の枚数を特定する。収納部にいずれの硬貨の種類が割り当てられているかは収納設定データ１６ｂに示され、硬貨の種類に係る特性データは硬貨特性データ１６ａに示されているため、これらのデータと収納状態として取得した硬貨数量対応データとを用いれば、収納部に収納された硬貨の枚数が特定することができるのである。
【００２７】
このように、硬貨収納装置１０は、複数の種類の硬貨のいずれかを複数枚重畳して収納する収納部を有し、収納部に収納する硬貨の種類を設定した収納設定データ１６ｂと、硬貨の種類に係る硬貨特性データ１６ａに基づいて、収納部に収納された硬貨の枚数を特定する。このため、硬貨の種類を固定することなく柔軟な運用が可能である。
【００２８】
＜硬貨収納装置の構成＞
次に、硬貨収納装置１０の外観構成及び内部構成について説明する。図２は、硬貨収納装置１０の外観構成及び内部構成についての説明図である。図２（ａ）は、硬貨収納装置１０の外観の斜視図である。図２（ｂ）は、図２（ａ）のＡ−Ａ線断面図であり、図２（ｃ）は、硬貨の収納部に正対する正面図である。
【００２９】
図２（ａ）及び図２（ｃ）に示すように、硬貨収納装置１０は、６列の収納部１２と、表示部１１とを有する。収納部１２のそれぞれは、硬貨の面を重ねて収納するための谷状の凹部を有し、収納された硬貨が重ねられた状態を維持するよう水平面に対して傾きを設けられている。この構造により、収納部１２で重畳された硬貨は、傾いた円柱形状を維持する。また、収納された硬貨を任意に抜き取り可能とするため、円柱形状のうち上方の半円分は開放されている。
【００３０】
また、図２（ｂ）の断面図に示すように、収納部１２の下方には検知回路部１３が埋め込まれている。この検知回路部１３は、複数の収納部１２に対してそれぞれ設けられ、各収納部１２から硬貨数量対応データを取得する。一例として、検知回路部１３は、対応する収納部１２の近傍に磁界を生成する電磁誘導コイルと、電圧又は電流を計測する計測部とを有する。収納部１２に硬貨が収納されると、インピーダンスが変化することにより電圧値や電流値に変化が生じるので、検知回路部１３が出力する電圧値や電流値は硬貨数量対応データとして用いることができる。
【００３１】
表示部１１は、液晶ディスプレイや７ＳＥＧディスプレイなどの表示デバイスであり、硬貨収納装置１０に収納された硬貨に係る情報の表示に用いられる。詳細については後述するが、表示される情報には、収納されている硬貨の合計金額、入出金の金額などが含まれる。
【００３２】
＜硬貨収納装置の機能＞
次に、硬貨収納装置１０の機能的な内部構成を説明する。図３は、硬貨収納装置１０の機能ブロック図である。図３に示すように、硬貨収納装置１０は、表示部１１と複数の検知回路部１３に加え、操作部１４、外部接続インタフェース１５、記憶部１６及び制御部１７を有する。
【００３３】
操作部１４は、スイッチ、物理キー、タッチパネルなどであり、操作者からの操作の受け付けに用いられる。外部接続インタフェース１５は、外部の装置などと接続するためのインタフェースである。外部の装置との接続は、例えば硬貨特性データ１６ａや収納設定データ１６ｂの更新に用いることができる。
【００３４】
記憶部１６は、不揮発性メモリ等の記憶デバイスであり、硬貨特性データ１６ａ、収納設定データ１６ｂ及び収納状態データ１６ｃを記憶する。硬貨特性データ１６ａは、硬貨の種類ごとにその特性を示す特性データを対応付けたデータである。収納設定データ１６ｂは、収納部１２を一意に識別する収納部ＩＤに収納対象とする硬貨の種類を対応付けたデータである。収納状態データ１６ｃは、収納部１２にどれだけの硬貨が収納されているかを示すデータである。
【００３５】
制御部１７は、硬貨収納装置１０の全体を制御する制御部であり、硬貨特性管理部１７ａ、硬貨種類設定部１７ｂ、収納硬貨判別部１７ｃ、収納枚数特定部１７ｄ、収納枚数管理部１７ｅ、金額算定部１７ｆ及び入出金制御部１７ｇを有する。
【００３６】
硬貨特性管理部１７ａは、硬貨特性データ１６ａの管理を行う処理部である。具体的には、硬貨特性管理部１７ａは、外部接続インタフェース１５などを介して硬貨特性データに係る追加、変更、削除の指示を受け付け、硬貨特性データ１６ａを更新する処理を行う。
【００３７】
硬貨種類設定部１７ｂは、収納部１２に収納対象とする硬貨の種類を対応付けて収納設定データ１６ｂを生成し、記憶部１６に格納する処理を行う。また、硬貨種類設定部１７ｂは、外部接続インタフェース１５などを介して収納部１２と硬貨の種類との対応関係を変更する指示を受け付けたならば、収納設定データ１６ｂを更新する。
【００３８】
収納硬貨判別部１７ｃは、収納部１２に硬貨が収納された場合に、収納された硬貨の適否を判定する処理を行う。収納部１２に硬貨が収納されると、対応する検知回路部１３から出力される硬貨数量対応データに変化が生ずる。収納硬貨判別部１７ｃは、硬貨数量対応データに変化が生じた場合に、その変化量と、収納部１２に設定された硬貨の種類と、当該硬貨の種類の特性データとを参照することで、収納部１２に収納された硬貨の種類が収納部１２に設定された硬貨の種類と一致するか否かを判別する。収納硬貨判別部１７ｃは、硬貨の種類が一致すれば収納された硬貨が適正であると判定し、硬貨の種類が一致しなければ収納された硬貨が適正でないと判定する。収納された硬貨が適正でないと判定した場合には、収納硬貨判別部１７ｃは、表示部１１にその旨を表示することで報知を行う。なお、収納部１２に硬貨が収納されていない状態で１枚目となる硬貨が収納された場合には、その硬貨の種類を判定し、判定した硬貨の種類をその収納部の硬貨の種類として設定してもよい。
【００３９】
収納枚数特定部１７ｄは、収納部１２に収納された硬貨の枚数を特定する処理部である。収納枚数特定部１７ｄは、複数の検知回路部１３がそれぞれ出力する硬貨数量対応データと、対応する収納部１２に設定された硬貨の種類と、当該硬貨の種類の特性データとを用い、各収納部１２に収納された硬貨の枚数を特定する。収納部にいずれの硬貨の種類が割り当てられているかは収納設定データ１６ｂを参照して特定し、硬貨の種類に係る特性データは硬貨特性データ１６ａを参照して特定する。
【００４０】
収納枚数管理部１７ｅは、各収納部１２に収納された硬貨の枚数が収納枚数特定部１７ｄにより特定された場合に、各収納部１２の硬貨の枚数を収納状態データ１６ｃに登録することで管理する処理部である。また、収納枚数管理部１７ｅは、硬貨の種類別の収納枚数を算定し、収納状態データ１６ｃに登録することで管理する。すなわち、複数の収納部１２に同一の硬貨の種類が設定されている場合には、その収納枚数を合計することで硬貨の種類別の収納枚数を算定することになる。
【００４１】
収納枚数管理部１７ｅは、各収納部１２の収納枚数や硬貨の種類別の収納枚数を表示部１１に表示制御することができる。
【００４２】
金額算定部１７ｆは、各収納部１２の収納枚数に増減があった場合に、入金又は出金された金額を算定する処理部である。入出金の金額は、収納枚数の増減と、各硬貨の種類の額面から求めることができる。また、金額算定部１７ｆは、各収納部１２の収納枚数と、各硬貨の種類の額面から収納中の硬貨の合計金額を算定する。
【００４３】
金額算定部１７ｆは、入出金の金額や収納中の硬貨の合計金額を表示部１１に表示制御することができる。
【００４４】
入出金制御部１７ｇは、収納部１２への入金や出金を制御する処理部である。入出金制御部１７ｇは、入出金を監視する監視モードのセットと解除を行うことができる。監視モードがセットされた状態で硬貨の枚数の増減が発生すると、入出金制御部１７ｇは、表示部１１に警告表示を行う。また、図示しないスピーカによる音声出力や所定の連絡先への通信により警告を行ってもよい。監視モードがセットされた後、入出金を行う場合には、所定の解除操作等により監視モードを解除することになる。なお、入出金のために監視モードを一時的に解除した場合には、所定時間経過などより自動的に監視モードを再開するよう構成してもよい。また、監視モードをセットせずに運用することも可能である。
【００４５】
＜硬貨収納装置の機能＞
次に、図３に示した硬貨特性データ１６ａ、収納設定データ１６ｂ及び収納状態データ１６ｃの一例について図４を用いて説明する。図４は、図３に示した硬貨特性データ１６ａ、収納設定データ１６ｂ及び収納状態データ１６ｃの一例を示す図である。
【００４６】
図４（ａ）に示す硬貨特性データ１６ａは、硬貨の種類に対して特性データや額面などの硬貨の種類に係るデータを対応付けたデータである。具体的には種類「ＪＰ５００」に対し、電気特性などの特性データと額面「５００円」を対応付けている。同様に、種類「ＪＰ１００」に対し、電気特性などの特性データと額面「１００円」を対応付けている。また、種類「ＪＰ５０」に対し、電気特性などの特性データと額面「５０円」を対応付けている。なお、硬貨特性データ１６ａには、特性データと額面の他、硬貨の発行国など、硬貨の種類に係る任意のデータを含めることができる。
【００４７】
図４（ｂ）に示す収納設定データ１６ｂは、収納部１２を一意に識別する収納部ＩＤに収納対象とする種類を対応付けたデータである。具体的には、収納部ＩＤ「Ｌ０１」に種類「ＪＰ５００」を対応付け、収納部ＩＤ「Ｌ０２」及び収納部ＩＤ「Ｌ０３」に種類「ＪＰ１００」を対応付けている。また、収納部ＩＤ「Ｌ０４」に種類「ＪＰ５０」を対応付け、収納部ＩＤ「Ｌ０５」に種類「ＪＰ１０」を対応付け、収納部ＩＤ「Ｌ０６」に種類「ＪＰ１」を対応付けている。このように、複数の収納部１２に同一の硬貨の種類を対応付けてもよく、また、収納部１２に割り当てていない硬貨の種類があってもよい。
【００４８】
図４（ｃ）に示す収納状態データ１６ｃは、収納部１２にどれだけの硬貨が収納されているかを示すデータであり、収納部１２ごとの収納枚数と、種類別の収納枚数と、種類別の収納金額と、合計金額とを含む。
【００４９】
具体的には、図４（ｃ）の収納状態データ１６ｃは、収納部ＩＤ「Ｌ０１」の収納部１２に硬貨が「１０」枚収納され、収納部ＩＤ「Ｌ０２」の収納部１２に硬貨が「１５」枚収納され、収納部ＩＤ「Ｌ０３」の収納部１２に硬貨が「３」枚収納され、収納部ＩＤ「Ｌ０４」の収納部１２に硬貨が「４」枚収納され、収納部ＩＤ「Ｌ０５」の収納部１２に硬貨が「１０」枚収納され、収納部ＩＤ「Ｌ０６」の収納部１２に硬貨が「０」枚収納された状態を示している。
【００５０】
そして、収納部ＩＤ「Ｌ０１」には種類「ＪＰ５００」が設定され、収納部ＩＤ「Ｌ０２」及び収納部ＩＤ「Ｌ０３」には種類「ＪＰ１００」が設定され、収納部ＩＤ「Ｌ０４」には種類「ＪＰ５０」が設定され、収納部ＩＤ「Ｌ０５」には種類「ＪＰ１０」が設定され、収納部ＩＤ「Ｌ０６」には種類「ＪＰ１」が設定されている。
【００５１】
このため、種類「ＪＰ５００」の種類別の収納枚数は「１０」枚であり、種類別金額は「５０００」円である。また、種類「ＪＰ１００」の種類別の収納枚数は「１８」枚であり、種類別金額は「１８００」円である。種類「ＪＰ５０」の種類別の収納枚数は「４」枚であり、種類別金額は「２００」円である。種類「ＪＰ１０」の種類別の収納枚数は「１０」枚であり、種類別金額は「１００」円である。種類「ＪＰ１」の種類別の収納枚数は「０」枚であり、種類別金額は「０」円である。従って、合計金額は「７１００」円となっている。
【００５２】
＜売上金入金機の処理手順＞
次に、硬貨収納装置１０の処理手順について説明する。図５は、硬貨収納装置１０の基本的な処理手順を示すフローチャートである。この処理手順は、硬貨収納装置１０により繰り返し実行される。処理が開始されると、まず、硬貨種類設定部１７ｂは、収納部１２に対する硬貨の種類の設定に係る入力を受け付けたか否かを判定する（ステップＳ１０１）。設定に係る入力は、操作部１４により受け付けてもよいし、外部接続インタフェース１５が外部からの入力を受け付けてもよい。
【００５３】
硬貨の種類の設定に係る入力を受け付けたならば（ステップＳ１０１；Ｙｅｓ）、硬貨種類設定部１７ｂは、受け付けた入力に基づいて収納設定データ１６ｂを更新する（ステップＳ１０２）。
【００５４】
ステップＳ１０２の後、若しくは硬貨の種類の設定に係る入力を受け付けていない場合（ステップＳ１０１；Ｎｏ）、検知回路部１３は、各収納部１２について硬貨数量対応データを取得することで、硬貨の収納状態を検知する（ステップＳ１０３）。
【００５５】
収納枚数特定部１７ｄは、検知回路部１３による検知結果から、入出金が発生したか否かを判定する（ステップＳ１０４）。この判定では、硬貨数量対応データに変化があった場合に入出金が発生したと判定することになる。入出金が発生していなければ（ステップＳ１０４；Ｎｏ）、そのまま処理を終了する。
【００５６】
入出金が発生したならば（ステップＳ１０４：Ｙｅｓ）、収納枚数特定部１７ｄは、硬貨数量対応データの変化から入金であるか出金であるかを判定する（ステップＳ１０５）。入金であるならば（ステップＳ１０５；Ｙｅｓ）、収納硬貨判別部１７ｃは、収納された硬貨の種類の適否を判定する（ステップＳ１０６）。その結果、収納された硬貨の種類が適正でなければ（ステップＳ１０７；Ｎｏ）、収納硬貨判別部１７ｃは、表示部１１にその旨を表示することで報知を行い（ステップＳ１１０）、そのまま処理を終了する。
【００５７】
収納された硬貨の種類が適正である場合（ステップＳ１０７；Ｙｅｓ）、若しくは発生した入出金が出金である場合（ステップＳ１０５；Ｎｏ）、収納枚数特定部１７ｄは、各検知回路部１３の検知結果と、対応する収納部１２に設定された硬貨の種類と、当該硬貨の種類の特性データと用い、各収納部１２に収納された硬貨の枚数を特定する（ステップＳ１０８）。
【００５８】
ステップＳ１０８の後、金額算定部１７ｆは、入出金前からの収納枚数の差分と、各硬貨の種類の額面とを用いて入出金額を算定し（ステップＳ１０９）、処理を終了する。
【００５９】
なお、ステップＳ１０８で特定した収納枚数や、ステップＳ１０９で算定した入出金金額は、収納状態データ１６ｃへの反映や表示部１１への出力に適宜用いることができる。また、図５では、監視モードをセットしていない状態での処理手順を示したが、監視モードがセットされ、解除操作なしに入出金が行われたならば、ステップＳ１０４で入出金の発生を検知した時点で警告を出力し、処理を終了することになる。
【００６０】
＜硬貨収納装置の連結＞
次に、硬貨収納装置１０の連結について説明する。図６は、硬貨収納装置１０の連結についての説明図である。硬貨収納装置１０が有する収納部１２の数が不足する場合には、複数の硬貨収納装置１０を連結し、複数の硬貨収納装置１０が有する収納部１２を統合して利用することができるようにすることが望ましい。
【００６１】
図６（ａ）では、２台の硬貨収納装置１０を連結した状態を示している。硬貨収納装置１０の連結は、外部接続インタフェース１５を用いて行えばよい。硬貨収納装置１０を連結した場合には、そのうちの１台を親機とし、他を子機とする。子機の収納枚数特定部１７ｄは、自装置の各収納部１２の収納枚数を親機に送信し、親機の収納枚数管理部１７ｅは、他の硬貨収納装置１０に収納された硬貨も含めて硬貨の収納状態を管理する。このとき、硬貨収納装置１０の装置ＩＤを利用して各硬貨収納装置１０の収納状態を管理すればよい。
【００６２】
図６（ａ）に示した２台の硬貨収納装置１０では、一方の装置ＩＤが「Ｕ０１」であり、他方の装置ＩＤが「Ｕ０２」である。親機の収納枚数管理部１７ｅは、図６（ｂ）に示すように、装置ＩＤを含めた収納状態データを生成して硬貨の収納状態を管理する。
【００６３】
図６（ｂ）では、装置ＩＤ「Ｕ０１」の装置において、収納部ＩＤ「Ｌ０１」の収納部１２に種類「ＪＰ５００」の硬貨が「１０」枚収納され、収納部ＩＤ「Ｌ０２」の収納部１２に種類「ＪＰ１００」の硬貨が「１５」枚収納され、収納部ＩＤ「Ｌ０３」の収納部１２に種類「ＪＰ１００」の硬貨が「３」枚収納され、収納部ＩＤ「Ｌ０４」の収納部１２に種類「ＪＰ５０」の硬貨が「４」枚収納され、収納部ＩＤ「Ｌ０５」の収納部１２に種類「ＪＰ１０」の硬貨が「１０」枚収納され、収納部ＩＤ「Ｌ０６」の収納部１２に種類「ＪＰ１０」の硬貨が「０」枚収納された状態を示している。
【００６４】
また、装置ＩＤ「Ｕ０２」の装置において、収納部ＩＤ「Ｌ０１」の収納部１２に種類「ＪＰ１０」の硬貨が「２０」枚収納され、収納部ＩＤ「Ｌ０２」の収納部１２に種類「ＪＰ５」の硬貨が「１０」枚収納され、収納部ＩＤ「Ｌ０３」の収納部１２に種類「ＪＰ５」の硬貨が「２」枚収納され、収納部ＩＤ「Ｌ０４」の収納部１２に種類「ＪＰ１」の硬貨が「４」枚収納され、収納部ＩＤ「Ｌ０５」の収納部１２に種類「ＪＰ１」の硬貨が「１０」枚収納され、収納部ＩＤ「Ｌ０６」の収納部１２に種類「ＪＰ１」の硬貨が「０」枚収納された状態を示している。
【００６５】
このため、種類「ＪＰ５００」の種類別の収納枚数は「１０」枚であり、種類別金額は「５０００」円である。また、種類「ＪＰ１００」の種類別の収納枚数は「１８」枚であり、種類別金額は「１８００」円である。種類「ＪＰ５０」の種類別の収納枚数は「４」枚であり、種類別金額は「２００」円である。種類「ＪＰ１０」の種類別の収納枚数は「３０」枚であり、種類別金額は「３００」円である。種類「ＪＰ５」の種類別の収納枚数は「１２」枚であり、種類別金額は「６０」円である。種類「ＪＰ１」の種類別の収納枚数は「１４」枚であり、種類別金額は「１４」円である。従って、合計金額は「７３７４」円となっている。
【００６６】
このように、同一の種類の硬貨を異なる硬貨収納装置１０の収納部１２に設定することも可能であり、種類別枚数は合算して算出することができる。また、合計金額については連結された全ての硬貨収納装置１０における収納分を合算して求めることになる。
【００６７】
なお、異なる国の通貨など、合算のできない硬貨を収納した硬貨収納装置１０を連結してもよい。この場合には、親機はそれぞれの国の通貨について個別に収納状態を管理することになる。
【００６８】
図６では、同等の機能を有する硬貨収納装置１０を連結する場合を示したが、子機専用の拡張用硬貨収納装置を親機としての硬貨収納装置１０を連結してもよい。また、収納部１２と検知回路部１３をユニット化し、収納部１２の数を任意に変更できるようユニットの追加、交換、取外しを可能としてもよい。
【００６９】
＜各種情報の表示制御＞
硬貨収納装置１０の表示部１１は、合計金額、入出金金額、各収納部１２の収納枚数、種類別の収納枚数、種類別の金額などを表示することができる。いずれの情報を表示するかは、操作部１４に対する操作入力等によって切り替えることが可能である。また、収納枚数の変化や時間経過で切り替えてもよい。
【００７０】
例えば、収納枚数が変化した場合にその種類の硬貨の枚数を表示する、収納枚数が変化したときにその種類の硬貨の枚数と金額を交互に表示する、収納枚数が変化したときに合計金額を表示する、収納枚数が変化したときに入出金金額を表示する、収納枚数の変化によって表示する情報を変更した後に所定時間経過で合計金額を表示する、などの制御が可能である。
【００７１】
＜ＰＯＳ端末との接続＞
次に、硬貨収納装置１０をＰＯＳ（Point Of Sales）端末と接続し、レジ釣銭機として利用する場合について説明する。図７は、硬貨収納装置１０とＰＯＳ端末との接続についての説明図である。
【００７２】
硬貨収納装置１０は、外部接続インタフェース１５を介してＰＯＳ端末２０と接続することができる。レジ担当者は、商品と引き換えに顧客から手渡された硬貨を硬貨収納装置１０に収納することで入金を行う（１）。
【００７３】
硬貨収納装置１０は、入金を受け付けると、入金額を算定し、ＰＯＳ端末に通知する（２）。ＰＯＳ端末２０は、通知された入金額と商品から読み取った価格とを用いて決済処理を実行し（３）、釣銭金額を硬貨収納装置１０に通知する（４）。
【００７４】
硬貨収納装置１０は、通知された釣銭金額に対応する出金をレジ担当者に行わせる（５）。具体的には、硬貨収納装置１０の入出金制御部１７ｇは、通知された釣銭金額と出金額とが一致するかを判定し、出金額が通知された釣銭金額を超える場合には警告を出力する。
【００７５】
図８は、ＰＯＳ端末２０と接続された硬貨収納装置１０の処理手順を示すフローチャートである。まず、硬貨収納装置１０は入金受付処理を実行する（ステップＳ２０１）。この入金受付処理としては、図５に示した基本的な処理手順を用いることができる。
【００７６】
ステップＳ２０１の後、金額算定部１７ｆは、入金額をＰＯＳ端末２０に通知する（ステップＳ２０２）。その後、入出金制御部１７ｇは、ＰＯＳ端末２０から釣銭金額の通知を受信したか否かを判定する（ステップＳ２０３）。釣銭金額の通知を受信していなければ（ステップＳ２０３；Ｎｏ）、ステップＳ２０３に移行することで釣銭金額の通知を待つ。
【００７７】
釣銭金額の通知を受信したならば（ステップＳ２０３；Ｙｅｓ）、硬貨収納装置１０は、出金受付処理を行う（ステップＳ２０４）。この出金受付処理としては、図５に示した基本的な処理手順を用いることができる。
【００７８】
入出金制御部１７ｇは、出金額が釣銭金額と一致するか否かを判定する（ステップＳ２０５）。そして、出金額と釣銭金額とが一致しなければ（ステップＳ２０５；Ｎｏ）、入出金制御部１７ｇは、出金額が釣銭金額を超えたか否かを判定する（ステップＳ２０６）。出金額が釣銭金額を超えたならば（ステップＳ２０６；Ｙｅｓ）、入出金制御部１７ｇは、警告の出力を行う（ステップＳ２０７）。この警告の出力には、表示部１１による表示を用いることが好適である。また、スピーカによる音声出力を用いてもよい。
【００７９】
ステップＳ２０７の後、若しくは出金額が釣銭金額に満たない場合（ステップＳ２０６；Ｎｏ）、硬貨収納装置１０はステップＳ２０４に移行し、出金受付処理を行う。この出金受付処理は、不足分の追加出金や、超過分を戻す入金を含む。そして、出金額については、釣銭金額の通知時点からの差分で算定する。すなわち、不足分の追加出金や超過分を戻す入金は、出金額の修正として扱われることになる。
【００８０】
入出金制御部１７ｇは、出金額と釣銭金額とが一致した場合に（ステップＳ２０５；Ｙｅｓ）、処理を終了する。
【００８１】
＜外貨両替への利用＞
次に、硬貨収納装置１０を外貨両替に用いる場合について説明する。図９は、硬貨収納装置１０を外貨両替に用いる場合についての説明図である。図９では、外貨両替装置３０に２台の硬貨収納装置１０ａと硬貨収納装置１０ｂを接続している。
【００８２】
硬貨収納装置１０ａと硬貨収納装置１０ｂはそれぞれ硬貨収納装置１０と同様の構成を有し、外部接続インタフェース１５を介して外貨両替装置３０と接続することができる。また、硬貨収納装置１０ａは、収納部１２に対応する硬貨の種類としてＡ国の通貨の金種が設定され、硬貨収納装置１０ｂは、収納部１２に対応する硬貨の種類としてＢ国の通貨の金種が設定されている。外貨両替装置３０は、為替レートデータを保持しており、為替レートに応じてＡ国通貨の金額をＢ国通貨の金額に換算することができる。
【００８３】
かかる構成において、硬貨収納装置１０ａがＡ国の硬貨の入金を受け付けると（１）、硬貨収納装置１０ａは、入金額を算定し、外貨両替装置３０に通知する（２）。外貨両替装置３０は、通知された入金額と為替レートデータを用いて換算処理を行い（３）、Ｂ国通貨での出金額を硬貨収納装置１０ｂに通知する（４）。
【００８４】
硬貨収納装置１０ｂは、通知された出金額に対応する出金を行わせる（５）。具体的には、硬貨収納装置１０ｂの入出金制御部１７ｇは、通知された出金額と実際の出金額とが一致するかを判定し、実際の出金額が通知された出金額を超える場合には警告を出力する。この場合の処理手順は、図８に示した処理手順と同様であり、通知される釣銭金額が通知される出金額に置き換えられる。また、ステップＳ２０１〜Ｓ２０２を硬貨収納装置１０ａが実行し、ステップＳ２０３以降を硬貨収納装置１０ｂが実行することになる。
【００８５】
なお、図９では、外貨両替専用の装置である外貨両替装置３０を用いる場合を例に説明を行ったが、外貨両替機能を有する他の装置を用いてもよい。例えば、ＰＯＳ端末に外貨両替機能を搭載し、ＰＯＳレジシステムの一機能として外貨両替を行ってもよい。この場合には、ＰＯＳ端末に硬貨収納装置１０ａ及び硬貨収納装置１０ｂを接続する構成となる。
【００８６】
＜硬貨収納装置の変形例＞
次に、硬貨収納装置の変形例について説明する。図１０は、変形硬貨などの収納部を別途設けた硬貨収納装置１１０についての説明図である。図１０（ａ）は、硬貨収納装置１１０の外観の斜視図である。図１０（ｂ）は、図１０（ａ）のＡ−Ａ線断面図であり、図１０（ｃ）は、硬貨の収納部に正対する正面図である。
【００８７】
図１０（ａ）〜図１０（ｃ）に示すように、硬貨収納装置１１０は、収納部１２に加えて、収納部１１２を有する。この収納部１１２は、変形硬貨、いずれの収納部１２にも設定されていない種類の硬貨、材質が樹脂であるなどの理由により枚数の特定が行えない硬貨を収納するために用いられる。
【００８８】
収納部１１２の近傍には、検知回路１１３が設けられているが、この検知回路１１３は枚数の特定ではなく、収納部１１２における硬貨などの有無の検知に用いられる。具体的には、収納部１２から全ての硬貨が取り出されたにも関わらず、検知回路１１３が収納部１１２における硬貨の存在を検知した場合に、取り忘れの警告を行うことができる。
【００８９】
収納部１１２に収納した硬貨については、枚数の特定ができないため、硬貨の種類と枚数を操作部１４などにより入力することで在高を管理することとしてもよい。このように入力した在高は、収納部１２の硬貨の在高と合算することが可能である。また、検知回路１１３の出力により収納部１１２に硬貨がないことが示された場合には、入力された収納部１１２の在高をクリアすることとしてもよい。
【００９０】
図１１は、収納部に仕切りを設けた硬貨収納装置２１０についての説明図である。図１１（ａ）は、硬貨収納装置２１０の外観の斜視図である。図１１（ｂ）は、図１１（ａ）のＡ−Ａ線断面図であり、図１１（ｃ）は、硬貨の収納部に正対する正面図である。
【００９１】
図１１（ａ）〜図１１（ｃ）に示すように、硬貨収納装置２１０は、仕切り２１２ｃを設けることで、収納部１２を上側の収納部２１２ａと下側の収納部２１２ｂに分離している。そして、図１１（ｂ）に示すように、上側の収納部２１２ａに対応させて検知回路部２１３ａを設け、下側の収納部２１２ｂに対応させて検知回路部２１３ｂを設けている。
【００９２】
このため、検知回路部２１３ａ及び検知回路部２１３ｂを硬貨収納装置１０の検知回路部１３よりも小さくすることができ、その検知精度を高めることができる。また、仕切り２１２ｃは検知回路部２１３ａと検知回路部２１３ｂとの間に位置するため、検知回路部２１３ａと検知回路部２１３ｂとの間に硬貨が収納されることがない。従って、検知回路部２１３ａと検知回路部２１３ｂとの間に所在する硬貨の検知漏れといった事態は発生しない。
【００９３】
上述してきたように、本実施例に係る硬貨収納装置は、複数の種類の硬貨のいずれかを複数枚重畳して収納する収納部を有し、収納部に収納する硬貨の種類を設定した収納設定データと、硬貨の種類に係る硬貨特性データに基づいて、収納部に収納された硬貨の枚数を特定する。このため、硬貨の種類を固定することなく柔軟な運用が可能である。
【００９４】
また、収納部の近傍に磁界を生成する検知回路部を設け、硬貨による磁界の変化を前記硬貨に係るデータとして用い、硬貨の種類によって定まる電気特性を硬貨の種類に係るデータとして用いて、収納部に収納された硬貨の枚数を特定するので、硬貨の枚数を高精度に特定することができる。
【００９５】
なお、本実施例では、磁界の変化を利用する構成を例示したが、本発明はこれに限定されることなく、硬貨の重量や厚みを用いて硬貨の枚数を特定する構成として実施してもよい。
【００９６】
また、本実施例では、硬貨収納装置をＰＯＳ端末や外貨両替装置と接続し、特定した硬貨の枚数を利用して入出金の管理を行う構成を例示したが、本発明は硬貨の枚数や金額を利用する任意の構成に適用可能である。
【００９７】
また、上述の各実施例で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００９８】
以上のように、本発明に係る硬貨収納装置及び硬貨管理方法は、硬貨の種類を固定することなく柔軟に運用可能とし、もって利便性を向上することに適している。
【符号の説明】
【００９９】
１０、１０ａ、１０ｂ、１１０、２１０  硬貨収納装置
１１  表示部
１２、１１２、２１２ａ、２１２ｂ  収納部
１３、１１３、２１３ａ、２１３ｂ  検知回路部
１４  操作部
１５  外部接続インタフェース
１６  記憶部
１６ａ  硬貨特性データ
１６ｂ  収納設定データ
１６ｃ  収納状態データ
１７  制御部
１７ａ  硬貨特性管理部
１７ｂ  硬貨種類設定部
１７ｃ  収納硬貨判別部
１７ｄ  収納枚数特定部
１７ｅ  収納枚数管理部
１７ｆ  金額算定部
１７ｇ  入出金制御部
２０  ＰＯＳ端末
３０  外貨両替装置
２１２ｃ  仕切り
【図１】
2017162352.tif 000003
【図２】
2017162352.tif 000004
【図３】
2017162352.tif 000005
【図４】
2017162352.tif 000006
【図５】
2017162352.tif 000007
【図６】
2017162352.tif 000008
【図７】
2017162352.tif 000009
【図８】
2017162352.tif 000010
【図９】
2017162352.tif 000011
【図１０】
2017162352.tif 000012
【図１１】
2017162352.tif 000013